(57)【要約】【課題】砂目を発生させることなく、モアレの発生を抑制することが可能なタッチパネルと、タッチパネルを積層した表示装置を提供する。【解決手段】複数本の第一導体線を含む第一導電層と、複数本の第二導体線を含む第二導電層を備えるタッチパネルであって、第一導電層と第二導電層とを積層した状態の平面視で、第一導体線及び第二導体線によって構成される同じ形状の仮想的な四辺形である仮想四辺形ＶＳが連続して配置されるパターンを基準パターンと定義し、第一導電層及び第二導電層のそれぞれにおいて、導体線が交差する部分は、仮想四辺形ＶＳの全ての頂点に対応する部分である仮想頂点ＶＰの１０％未満であり、平面視で、二つの導体線で形成された頂点である実頂点ＣＰが、仮想頂点ＶＰから仮想四辺形ＶＳの一辺の長さであるピッチＷＰの長さに対して１％以上５０％未満の変位量で変位させた位置に配置されている。【選択図】図６
2019174860.tif 000002
【特許請求の範囲】
【請求項１】
複数本の導体線を含む第一導電層と、複数本の導体線を含む第二導電層と、を備え、
前記第一導電層と前記第二導電層とを積層した状態の平面視で、前記第一導電層が含む導体線及び前記第二導電層が含む導体線によって構成される同じ形状の仮想的な四辺形である仮想四辺形が連続して配置されるパターンを基準パターンと定義し、
前記第一導電層及び前記第二導電層のそれぞれにおいて、前記導体線が交差する部分は、前記基準パターンにおける前記仮想四辺形の全ての頂点に対応する部分の１０％未満であり、
前記平面視で、二つの前記導体線で形成された頂点が、前記基準パターンにおける前記仮想四辺形の頂点に対応する部分から仮想四辺形の一辺の長さであるピッチの長さに対して１％以上５０％未満の変位量で変位させた位置に配置されていることを特徴とするタッチパネル。
【請求項２】
前記変位量は、前記ピッチの２％以上２５％未満であることを特徴とする請求項１に記載したタッチパネル。
【請求項３】
複数の座標に対応した複数の検出領域を有し、
全ての前記検出領域において、二つの前記導体線で形成された頂点を前記仮想四辺形の頂点に対応する部分から変位させた位置が同じであることを特徴とする請求項１または請求項２に記載したタッチパネル。
【請求項４】
複数の座標に対応した複数の検出領域を有し、
少なくとも二つの前記検出領域において、二つの前記導体線で形成された頂点を前記仮想四辺形の頂点に対応する部分から変位させた位置が互いに異なることを特徴とする請求項１または請求項２に記載したタッチパネル。
【請求項５】
請求項１から請求項４のうちいずれか１項に記載したタッチパネルを積層したことを特徴とする表示装置。
【発明の詳細な説明】
【技術分野】
【０００１】
本発明は、例えば、携帯通信端末が備えるタッチパネル等、表示装置に積層されるタッチパネルと、タッチパネルを積層した表示装置に関する。
【背景技術】
【０００２】
表示装置が備えるタッチパネルに、金属製の細線（金属細線）でパターンを形成する技術としては、例えば、特許文献１に記載されている技術がある。
特許文献１の技術では、光透過性支持体上に、第一の方向に伸びる光透過性のセンサー部と、第一の方向に対し垂直な方向である第二の方向においてセンサー部と交互に並ぶ光透過性のダミー部を有する。そして、センサー部が第二の方向に周期Ｌでもって配置され、センサー部とダミー部が網目状の金属細線パターンから構成され、センサー部内の金属細線パターンの少なくとも一部は第二の方向に２Ｌ／Ｎ（但し、Ｎは任意の自然数）の周期を有している。さらに、ダミー部の金属細線パターンは、第二の方向に２Ｌ／Ｎよりも大きい周期を有している。
【先行技術文献】
【特許文献】
【０００３】
【特許文献１】特開２０１６−１１５１５９号公報
【発明の概要】
【発明が解決しようとする課題】
【０００４】
特許文献１に記載されている技術では、二本の金属細線同士が交差する頂点の位置をずらす変位量が少なすぎると、モアレを抑制することが困難となるという問題点がある。また、頂点の位置をずらす変位量が大きすぎると、砂目の発生を抑制することが困難となるという問題点がある。
本発明は、上記のような問題点に着目してなされたもので、モアレ及び砂目の発生を抑制することが可能なタッチパネルと、タッチパネルを備える表示装置を提供することを目的とする。
【課題を解決するための手段】
【０００５】
上記課題を解決するために、本発明の一態様は、複数本の導体線を含む第一導電層と、複数本の導体線を含む第二導電層を備え、以下の特徴を持つタッチパネルである。また、第一導電層と第二導電層とを積層した状態の平面視で、第一導電層が含む導体線及び第二導電層が含む導体線によって構成される同じ形状の仮想的な四辺形である仮想四辺形が連続して配置されるパターンを基準パターンと定義する。そして、第一導電層及び第二導電層のそれぞれにおいて、導体線が交差する部分は、基準パターンにおける仮想四辺形の全ての頂点に対応する部分の１０％未満である。これに加え、平面視で、二つの導体線で形成された頂点が、基準パターンにおける仮想四辺形の頂点に対応する部分から仮想四辺形の一辺の長さであるピッチの長さに対して１％以上５０％未満の変位量で変位させた位置に配置されている。
【０００６】
また、上記課題を解決するために、本発明の一態様は、上述した構成を備えるタッチパネルを積層した表示装置である。
【発明の効果】
【０００７】
本発明の一態様によれば、二つの導体線で形成された頂点の、仮想四辺形の頂点に対応する部分からの変位量を、適切な値とすることが可能となる。
このため、複数本の導体線を含む第一導電層及び第二導電層を備えるタッチパネルと、タッチパネルを積層した表示装置に対し、モアレ及び砂目の発生を抑制することが可能となる。
【図面の簡単な説明】
【０００８】
【図１】本発明の第一実施形態のタッチパネルを表す平面図である。
【図２】図１中に破線で囲んだ領域ＩＩの拡大図である。
【図３】図２のＩＩＩ‐ＩＩＩ線断面図である。
【図４】基準パターンのイメージを表す図である。
【図５】実頂点を仮想頂点から変位させるイメージを表す図である。
【図６】検出領域の一部において、全ての実頂点を仮想頂点から変位させるイメージを表す拡大図である。
【図７】第一導電層を表す平面図である。
【図８】第二導電層を表す平面図である。
【図９】二本の導体線が交差して接続されている構成を表す図である。
【図１０】二本の導体線が三叉形状に接続されている構成を表す図である。
【発明を実施するための形態】
【０００９】
以下の詳細な説明では、本発明の実施形態について、完全な理解を提供するように、特定の細部について記載する。しかしながら、かかる特定の細部が無くとも、一つ以上の実施形態が実施可能であることは明確である。また、図面を簡潔なものとするために、周知の構造及び装置を、略図で表す場合がある。
【００１０】
（第一実施形態）
以下、本発明の第一実施形態について、図面を参照しつつ説明する。
（構成）
図１から図８を参照して、タッチパネル１の構成について説明する。
（タッチパネル１の概略構成）
図１から図３中に表すタッチパネル１は、例えば、カーナビゲーションシステム等に備えられる。
また、タッチパネル１は、複数の座標に対応した複数の検出領域を有するパネルであり、例えば、静電容量方式のタッチパネルを形成する。
【００１１】
また、タッチパネル１は、液晶パネル等の表示パネル（表示装置）上に、接着部材を介して積層されたパネルである。
なお、図１中には、タッチパネル１が有する検出領域のうち、縦方向に配列した三つの座標（容量検出単位：ノード）と横方向に配列した三つの座標とを合計した、九つの座標（三行×三列）に対応した九つの検出領域を表す。
また、図２中には、タッチパネル１が有する九つの検出領域のうち、図１中で左上に配置した一つの検出領域のみを表す。なお、一つの検出領域における一辺の長さは、例えば、４［ｍｍ］以上５［ｍｍ］以下の範囲内に設定する。
【００１２】
特に図示しないが、タッチパネル１を積層する表示装置が備える複数の画素は、互いに直交する二つの方向に沿って配列されている。
以降の説明では、複数の画素を配列した二つの方向を、Ｘ方向と、Ｙ方向とに定義する。Ｘ方向は、図１中に示す三つ（三行）の座標を配列した縦方向と平行である。Ｙ方向は、図１中に示す三つ（三列）の座標を配列した横方向と平行な方向である。
なお、第一実施形態では、タッチパネル１の形状を、一例として、Ｙ方向（縦方向）の長さよりもＸ方向（横方向）の長さが大きい形状（横長形状）とした場合について説明する。
【００１３】
図３中に表すように、タッチパネル１は、第一導電層１０と、第二導電層２０と、基材３０と、を備えている。
図３は、基材３０の一方の面３０ａ（図３中では、上側の面）に第一導体線１４を配置し、基材３０の他方の面３０ｂ（図３中では、下側の面）に第二導体線２４を配置した構成に係る図示である。
基材３０の一方の面３０ａに配置されている第一導体線１４は、予め設定したパターンを有する第一導電層１０を形成している。
なお、説明のために、図１及び図２中では、第一導体線１４を実線で表し、図３中では、第一導体線１４を黒塗りの円で表す。また、図３中には、第一導体線１４のうち、ＩＩＩ−ＩＩＩ線断面と重なる部分のみを表す。
【００１４】
第一実施形態では、一例として、第一導電層１０が、タッチパネル１のセンシング層を形成する場合について説明する。
なお、第一導電層１０の詳細な構成については、後述する。
基材３０の他方の面３０ｂに配置されている第二導体線２４は、予め設定したパターンを有する第二導電層２０を形成している。
なお、説明のために、図１中では、第二導体線２４を実線で表し、図２中では、第二導体線２４を破線で表し、図３中では、第二導体線２４を白抜きの円で表す。また、図３中には、第二導体線２４のうち、ＩＩＩ−ＩＩＩ線断面と重なる部分のみを表す。
【００１５】
第一実施形態では、一例として、第二導電層２０が、タッチパネル１のドライブ層を形成する場合について説明する。
なお、第二導電層２０の詳細な構成については、後述する。
基材３０は、ガラスや樹脂フィルム等の透明な材料を用いて形成されている。
上述した構成により、タッチパネル１では、ドライブ層を形成する第二導電層２０に電圧が掛かることで発生する電気力線が、指先等の導体が接触していない場合には、センシング層を形成する第一導電層１０との間に存在する。
【００１６】
そして、指先等の導体が接触した場合には、電気力線の一部が、指先等の導体を介して接地される。そのため、第二導電層２０と第一導電層１０の間の静電容量が減少する。
このように、静電容量が変化する事で、タッチパネル１の操作面における指先等の導体の接触位置が検出される。
以下、タッチパネル１の詳細な構成として、第一導電層１０と第二導電層２０とを積層した状態の平面視で、二つの導体線で形成された頂点について説明する。なお、上述した平面視とは、第一導電層１０と第二導電層２０とを積層した方向に沿った視点である。
ここで、「二つの導体線」とは、第一導体線１４と第二導体線２４、二つの第一導体線１４、二つの第二導体線２４のうち、いずれかの組み合わせである。
【００１７】
まず、図４中に表すように、平面視で、仮想四辺形ＶＳが連続して配置されるパターンを、基準パターンと定義する。
仮想四辺形ＶＳは、第一導体線１４及び第二導体線２４によって構成される、同じ形状の仮想的な四辺形である。なお、図４中には、仮想四辺形ＶＳが菱形であるパターンを例示しているが、仮想四辺形ＶＳの形状は、正方形や平行四辺形等、菱形以外の四辺形であってもよい。
また、仮想四辺形ＶＳは、第一方向Ｄ１と、第一方向Ｄ１と交差する第二方向Ｄ２とに沿って配列されている。
【００１８】
そして、図５中に表すように、二つの導体線で形成された頂点は、平面視で、仮想四辺形ＶＳの頂点に対応する部分から、ピッチＷＰ（ワイヤーピッチ）の長さ（１００％）に対して、１％以上５０％未満の変位量で変位させた位置に配置されている。なお、図５中では、説明のために、仮想四辺形ＶＳを形成する辺を、破線で示している。同様に、図５中では、説明のために、導体線を実線で示している。
第一実施形態では、一例として、二つの導体線で形成された頂点を、平面視で、仮想四辺形ＶＳの頂点に対応する部分から、ピッチＷＰの長さに対して、２％以上２５％未満の変位量（ＤＱ＜ＷＰ／４）で変位させた位置に配置した場合について説明する。
【００１９】
なお、図中及び以降の説明では、二つの導体線で形成された頂点を、「実頂点ＣＰ」と記載する場合がある。同様に、図中及び以降の説明では、仮想四辺形ＶＳの頂点に対応する部分を示す頂点を、「仮想頂点ＶＰ」と記載する場合がある。
また、図中及び以降の説明では、実頂点ＣＰを仮想頂点ＶＰから変位させた変位量を、「変位量ＤＱ」と記載する場合がある。さらに、以降の説明では、実頂点ＣＰを仮想頂点ＶＰから変位させた変位量を、「実頂点の変位量」と記載する場合がある。
なお、実頂点ＣＰを仮想頂点ＶＰから変位させる方向は、不規則（ランダム）である。
【００２０】
ピッチＷＰは、仮想四辺形ＶＳの一辺の長さである。なお、ピッチＷＰは、仮想四辺形ＶＳの全ての辺が同じ長さである場合は、仮想四辺形ＶＳを形成するいずれか一辺の長さであるが、仮想四辺形ＶＳが長さの異なる辺で形成されている場合は、仮想四辺形ＶＳを形成する選択したいずれか一辺の長さである。
また、図６中に表すように、検出領域に存在する全ての実頂点ＣＰのうち、予め設定した数の実頂点ＣＰが、仮想頂点ＶＰから変位した位置に配置されている。なお、図６中では、説明のために、一つの仮想頂点ＶＰと、この仮想頂点ＶＰから変位した一つの実頂点ＣＰのみに、符号を付している。なお、図６中では、図５中と同様、説明のために、仮想四辺形ＶＳを形成する辺を、破線で示している。同様に、図６中では、説明のために、導体線を実線で示している。
【００２１】
第一実施形態では、一例として、仮想頂点ＶＰから変位した位置に配置する実頂点ＣＰの数を、検出領域に存在する全ての実頂点ＣＰと同じ数に設定した場合について説明する。すなわち、検出領域に存在する全ての実頂点ＣＰが、仮想頂点ＶＰから変位した位置に配置されている場合について説明する。なお、図６中には、検出領域の一部を図示しているが、図外の検出領域においても、図６中に図示した範囲と同様、検出領域に存在する全ての実頂点ＣＰが、仮想頂点ＶＰから変位した位置に配置されている。
【００２２】
また、図１中に表すように、全ての検出領域において、検出領域に存在する全ての実頂点ＣＰは、同じ位置に配置されている。具体的には、一つの単位領域に形成したパターンを、タッチパネル１が備える全ての検出領域で繰り返すように形成されている。
すなわち、全ての検出領域において、二つの導体線で形成された頂点（実頂点ＣＰ）を仮想四辺形の頂点に対応する部分（仮想頂点ＶＰ）から変位させた位置は、同じである。
なお、図４中に表すように、基準パターンでは、仮想四辺形ＶＳを形成する四本の線が、平面視で全て同じ長さである。
すなわち、実頂点ＣＰを仮想頂点ＶＰから変位させる前の状態では、仮想四辺形ＶＳを形成する四本の線が、平面視で全て同じ長さである。
【００２３】
また、基準パターンでは、各第一導体線１４は、第一方向Ｄ１、または、第二方向Ｄ２のいずれかに沿って配列されている。第一方向Ｄ１に沿って配列されている複数の第一導体線１４は、互いに平行に配列されている。第二方向Ｄ２に沿って配列されている複数の第一導体線１４は、互いに平行に配列されている。
同様に、基準パターンでは、各第二導体線２４は、第一導体線１４と同様、第一方向Ｄ１、または、第二方向Ｄ２のいずれかに沿って配列されている。第一方向Ｄ１に沿って配列されている複数の第二導体線２４は、平行に配列されている。第二方向Ｄ２に沿って配列されている複数の第二導体線２４は、平行に配列されている。
【００２４】
（第一導電層１０、第二導電層２０の構成）
図１から図６を参照しつつ、図７及び図８を用いて、第一導電層１０と、第二導電層２０の詳細な構成を説明する。
第一導体線１４と第二導体線２４は、例えば、金（Ａｕ）、銀（Ａｇ）、銅（Ｃｕ）等を用いて形成された金属線である。
第一実施形態では、一例として、第一導体線１４及び第二導体線２４を、銅を用いて形成した場合について説明する。
【００２５】
第一導体線１４の線幅（太さ）は、例えば、３０［μｍ］以下に設定する。これは、第二導体線２４の線幅（太さ）についても、同様とする。
第一実施形態では、一例として、第一導体線１４の線幅を、１［μｍ］以上７［μｍ］以下の範囲内に設定した場合について説明する。これは、第二導体線２４の線幅についても、同様とする。
各第一導体線１４の連結点と、各第二導体線２４の連結点では、それぞれ、平面視で、二本の第一導体線１４が、十字状に交差した形状、直線状、「三叉」形状、「Ｌ字」形状のうちいずれかの形状で連結されている。
【００２６】
すなわち、第一方向Ｄ１に沿って延在する少なくとも一つの第一導体線１４に、第二方向Ｄ２に沿って延在する第一導体線１４が連結されている。また、第一方向Ｄ１に沿って延在する少なくとも一つの第二導体線２４に、第二方向Ｄ２に沿って延在する第二導体線２４が連結されている。
なお、「三叉形状」とは、連結された二本の第一導体線１４のなす二箇所の角度と、連結された二本の第二導体線２４のなす二箇所の角度が、鋭角及び鈍角となる形状である。また、「Ｌ字形状」とは、連結された二本の第一導体線１４のなす一箇所の角度と、連結された二本の第二導体線２４のなす一箇所の角度が、直角、鋭角または鈍角となる形状である。
【００２７】
また、第一導電層１０及び第二導電層２０のそれぞれにおいて、導体線が交差（十字状に交差）する部分は、基準パターンにおける仮想四辺形ＶＳの全ての頂点に対応する部分の、１０％未満である。
第一実施形態では、一例として、第一導電層１０及び第二導電層２０のそれぞれにおいて、導体線の交差部分が最小限で形成されている場合について説明する。
第一導体線１４が有する直線部分の長さと、第二導体線２４が有する直線部分の長さは、ピッチＷＰの１倍以上１０倍以下に設定されている。
【００２８】
第一実施形態では、一例として、第一導体線１４が有する直線部分の長さと、第二導体線２４が有する直線部分の長さが、ピッチＷＰの１倍以上４倍以下に設定されている場合について説明する。
なお、図７中では、第一導体線１４が有する直線部分のうち、ピッチＷＰの３倍に長さが設定された一つの直線部分を、符号ＳＴａで表す。同様に、図８中では、第二導体線２４が有する直線部分のうち、ピッチＷＰの３倍に長さが設定された一つの直線部分を、符号ＳＴｂで表す。
【００２９】
また、ピッチＷＰは、例えば、１００［μｍ］以上４００［μｍ］以下の範囲内に設定する。これは、第二導電層２０においても同様である。
また、二本の第一導体線１４が連結された連結点には、平面視で、連結された二本の第一導体線１４がなす角度が鋭角である第一鋭角部１６ａと、連結された二本の第一導体線１４がなす角度が鈍角である第一鈍角部１６ｂが形成されている。なお、図７中では、複数形成されている第一鋭角部のうち、一つの第一鋭角部のみを、符号１６ａで表している。同様に、図７中では、複数形成されている第一鈍角部のうち、一つの第一鈍角部のみを、符号１６ｂで表している。
【００３０】
さらに、二本の第二導体線２４が連結された連結点には、平面視で、連結された二本の第二導体線２４がなす角度が鋭角である第二鋭角部２６ａと、連結された二本の第二導体線２４がなす角度が鈍角である第二鈍角部２６ｂが形成されている。なお、図８中では、複数形成されている第二鋭角部のうち、一つの第二鋭角部のみを、符号２６ａで表している。同様に、図８中では、複数形成されている第二鈍角部のうち、一つの第二鈍角部のみを、符号２６ｂで表している。
さらに、第一導体線１４は、第一導体線１４によって規則的な網目（メッシュパターン）が形成されないように、平面視で不規則（ランダム）に配列されている。同様に、第二導体線２４は、第二導体線２４によって規則的な網目が形成されないように、平面視で不規則に配列されている。
【００３１】
ここで、「規則的な網目」とは、例えば、同じピッチＷＰの直線が第一方向Ｄ１と第二方向Ｄ２へ向かって交互に延在している複数の導体線が、同じ形状を形成する複数の線を形成しており、さらに、これらの線で囲まれた複数の空隙部が形成されている状態である。
これにより、第一導体線１４のピッチＷＰと、第一導体線１４が延在する方向（第一方向Ｄ１、または、第二方向Ｄ２）は、一つの開口部を囲む四辺形が、第一導体線１４のみによって形成されないように設定されている。同様に、第二導体線２４のピッチＷＰと、第二導体線２４が延在する方向（第一方向Ｄ１、または、第二方向Ｄ２）は、一つの開口部を囲む四辺形が、第二導体線２４のみによって形成されないように設定されている。
【００３２】
したがって、各第一導体線１４の連結点と、各第二導体線２４の連結点における、「三叉形状」及び「Ｌ字形状」で連結されている位置では、連結された二本の導体線のなす角度が鋭角となる位置も、不規則（ランダム）に配置されることとなる。
複数本の第一導体線１４は、複数本の主電極線と、複数本の副電極線と、複数本のダミー線と、を含んでいる。同様に、複数本の第二導体線２４は、複数本の主電極線と、複数本の副電極線と、複数本のダミー線と、を含んでいる。
【００３３】
なお、図７中及び以降の説明では、第一導体線１４が含む主電極線を「第一主電極線１４Ｍ」と表し、第一導体線１４が含む副電極線を「第一副電極線１４Ｓ」と表し、第一導体線１４が含むダミー線を「第一ダミー線１４Ｄ」と表す。同様に、図８中及び以降の説明では、第二導体線２４が含む主電極線を「第二主電極線２４Ｍ」と表し、第二導体線２４が含む副電極線を「第二副電極線２４Ｓ」と表し、第二導体線２４が含むダミー線を「第二ダミー線２４Ｄ」と表す。また、図７中では、説明のために、第一主電極線１４Ｍを実線で表し、第一副電極線１４Ｓを破線で表し、第一ダミー線１４Ｄを第一主電極線１４Ｍよりも細い実線で表す。同様に、図８中では、説明のために、第二主電極線２４Ｍを実線で表し、第二副電極線２４Ｓを破線で表し、第二ダミー線２４Ｄを第二主電極線２４Ｍよりも細い実線で表す。
【００３４】
第一主電極線１４Ｍと、第一副電極線１４Ｓと、第二主電極線２４Ｍと、第二副電極線２４Ｓは、図外の電極に接続されている。
第一導体線１４が含む複数本の第一主電極線１４Ｍは、複数の第一主電極線群１８を形成している。また、第二導体線２４が含む複数本の第二主電極線２４Ｍは、複数の第二主電極線群２８を形成している。
第一実施形態では、一例として、図７中に表すように、一つの検出領域において、第一導体線１４が含む複数本の第一主電極線１４Ｍが、三つの第一主電極線群１８を形成している場合について説明する。同様に、第一実施形態では、一例として、図８中に表すように、一つの検出領域において、第二導体線２４が含む複数本の第二主電極線２４Ｍが、三つの第二主電極線群２８を形成している場合について説明する。
【００３５】
三つの第一主電極線群１８は、それぞれ、図７中に表すように、一つの検出領域を、予め設定した方向（図７中では、縦方向）に連続するパターンである。また、三つの第二主電極線群２８は、それぞれ、図８中に表すように、一つの検出領域を、予め設定した方向（図８中では、横方向）に連続するパターンである。同様に、第一導電層１０が含む第一主電極線群１８が連続する方向と、第二導電層２０が含む第二主電極線群２８が連続する方向は、交差している。
各第一副電極線１４Ｓは、複数の異なる第一主電極線群１８同士を連結している。また、各第二副電極線２４Ｓは、複数の異なる第二主電極線群２８同士を連結している。
【００３６】
第一副電極線１４Ｓと第一主電極線群１８との連結点は、第一副電極線１４Ｓの端部を、第一主電極線群１８の両端部間に接続して形成されている。同様に、第二副電極線２４Ｓと第二主電極線群２８との連結点は、第二副電極線２４Ｓの端部を、第二主電極線群２８の両端部間に接続して形成されている。
第一ダミー線１４Ｄは、第一主電極線１４Ｍ及び第一副電極線１４Ｓに接続されておらず、電極とは電気的に絶縁されている。同様に、第二ダミー線２４Ｄは、第二主電極線２４Ｍ及び第二副電極線２４Ｓに接続されておらず、電極とは電気的に絶縁されている。
【００３７】
（作用）
図１から図８を参照しつつ、図９及び図１０を用いて、第一実施形態の作用を説明する。
第一実施形態のタッチパネル１を備えた表示装置（携帯電話やノートＰＣ等の携帯通信端末）の使用時には、表示部（画面）に表示されているアイコン等の位置（座標）を目標として、使用者が指先等でタッチパネル１に接触する。
そして、指先等が接触したタッチパネル１では、一つの第一導体線１４と、複数本の第二導体線２４との、それぞれの間における静電容量の変化が発生することにより、タッチパネル１の操作面における指先等の接触位置（座標）がノード単位で検出される。
ここで、上述したように、第一実施形態のタッチパネル１は、実頂点ＣＰを仮想頂点ＶＰから変位させた変位量ＤＱを、ピッチＷＰの２％以上２５％未満としている。
【００３８】
このため、二つの導体線で形成された頂点である実頂点ＣＰの、仮想四辺形の頂点に対応する部分である仮想頂点ＶＰからの変位量ＤＱを、適切な値とすることが可能となる。
これに加え、第一実施形態のタッチパネル１は、第一導電層１０及び第二導電層２０のそれぞれにおいて、導体線が交差する部分が、基準パターンにおける仮想四辺形ＶＳの全ての頂点に対応する部分の、１０％未満である。
このため、第一導電層１０及び第二導電層２０のそれぞれで、導体線が交差する部分が、仮想四辺形ＶＳの全ての頂点に対応する部分の、１０％以上である場合と比較して、大きな太りが発生する箇所を減少させることが可能となる。
【００３９】
これにより、第一導電層１０及び第二導電層２０を備えるタッチパネル１と、タッチパネル１を積層した表示装置に対し、モアレ及び砂目の発生を抑制することが可能となる。
なお、大きな太りが発生する箇所を減少させることが可能な理由は、以下の理由である。
図９中に示すように、二本の導体線ＥＬ１，ＥＬ２が、交差した状態で接続されている（十字状に交差して接続されている）構成では、二本の導体線ＥＬ１，ＥＬ２が角度をなす箇所（四箇所）に、太り部分ＥＦが形成される。
【００４０】
太り部分ＥＦが、例えば、液晶ディスプレイの開口部（開口部２）と重なる位置に形成されると、平面視で、開口部２の開口率（透過率）が太り部分ＥＦによって低下し、視認性が低下することとなる。
視認性の低下を抑制するためには、図９（ａ）中に表す状態から、二本の導体線ＥＬ１，ＥＬ２を移動させる必要がある。しかしながら、二本の導体線ＥＬ１，ＥＬ２が、交差した状態で接続されている構成では、二本の導体線ＥＬ１，ＥＬ２の移動量が少ない場合、図９（ｂ）中に表すように、太り部分ＥＦの一部が、開口部２と重なることとなる。
【００４１】
これに対し、図１０中に示すように、二本の導体線ＥＬ１，ＥＬ２が、交差せずに接続されている（三叉形状に接続されている）構成では、二本の導体線ＥＬ１，ＥＬ２が角度をなす箇所（二箇所）のみに、太り部分ＥＦが形成される。
そして、視認性の低下を抑制するために、図１０（ａ）中に表す状態から、二本の導体線ＥＬ１，ＥＬ２を移動させると、二本の導体線ＥＬ１，ＥＬ２の移動量が少ない場合であっても、図１０（ｂ）中に表すように、太り部分ＥＦが、開口部２と重ならない。
また、二本の導体線ＥＬ１，ＥＬ２が、交差せずに接続されている（Ｌ字状に接続されている）構成では、二本の導体線ＥＬ１，ＥＬ２が角度をなす箇所（一箇所）のみに、太り部分ＥＦが形成される。このため、二本の導体線ＥＬ１，ＥＬ２が三叉形状に接続されている構成よりも、太り部分ＥＦが、開口部２と重ならない。
【００４２】
なお、図９中における二本の導体線ＥＬ１，ＥＬ２の移動量と、図１０中における二本の導体線ＥＬ１，ＥＬ２の移動量は、同じ量である。さらに、図９中における二本の導体線ＥＬ１，ＥＬ２の移動方向と、図１０中における二本の導体線ＥＬ１，ＥＬ２の移動方向は、同じ方向である。また、図９及び図１０中には、太り部分ＥＦをイメージで図示している。
なお、上述した第一実施形態は、本発明の一例であり、本発明は、上述した第一実施形態に限定されることはなく、この実施形態以外の形態であっても、本発明に係る技術的思想を逸脱しない範囲であれば、設計等に応じて種々の変更が可能である。
【００４３】
（第一実施形態の効果）
第一実施形態のタッチパネル１であれば、以下に記載する効果を奏することが可能となる。
（１）第一導電層１０及び第二導電層２０のそれぞれにおいて、導体線が交差する部分が、基準パターンにおける仮想四辺形ＶＳの全ての頂点に対応する部分（仮想頂点ＶＰ）の１０％未満である。これに加え、平面視で、二つの導体線で形成された頂点（実頂点ＣＰ）が、仮想四辺形ＶＳの頂点に対応する部分（仮想頂点ＶＰ）から仮想四辺形ＶＳの一辺の長さであるピッチＷＰの長さに対して２％以上２５％未満の変位量で変位させた位置に配置されている。
このため、二つの導体線で形成された頂点である実頂点ＣＰの、仮想四辺形の頂点に対応する部分である仮想頂点ＶＰからの変位量ＤＱを、適切な値とすることが可能となる。これに加え、第一導電層１０及び第二導電層２０のそれぞれで、導体線が交差する部分が、仮想四辺形ＶＳの全ての頂点に対応する部分の、１０％以上である場合と比較して、大きな太りが発生する箇所を減少させることが可能となる。
その結果、第一導電層１０及び第二導電層２０を備えるタッチパネル１に対し、モアレ及び砂目の発生を抑制することが可能となる。
【００４４】
（２）複数の座標に対応した複数の検出領域を有し、全ての検出領域において、二つの導体線で形成された頂点（実頂点ＣＰ）を仮想四辺形の頂点に対応する部分（仮想頂点ＶＰ）から変位させた位置が、同じである。
（３）平面視で、第一主電極線１４Ｍが有する直線部分と、第二主電極線２４Ｍが有する直線部分とが交差する。
その結果、第一導電層１０と第二導電層２０との間の静電容量を増加させることが可能となり、ノイズへの耐性を強化することが可能となる。
【００４５】
（４）平面視で、主電極線または副電極線と、ダミー線とが交差する。
その結果、第一導電層１０と第二導電層２０との間の静電容量を増加させることが可能となり、ノイズへの耐性を強化することが可能となる。
（５）平面視で、第一副電極線１４Ｓが有する直線部分と、第二副電極線２４Ｓが有する直線部分とが交差する。
その結果、第一導電層１０と第二導電層２０との間の静電容量を増加させることが可能となり、ノイズへの耐性を強化することが可能となる。
【００４６】
（変形例）
（１）第一実施形態では、平面視で、実頂点ＣＰが、仮想頂点ＶＰからピッチＷＰの長さに対して２％以上２５％未満の変位量で変位させた位置に配置した構成としたが、これに限定するものではない。すなわち、平面視で、実頂点ＣＰが、ピッチＷＰの長さに対して１％以上５０％未満の変位量で変位させた位置に配置されている構成としてもよい。
この場合であっても、第一導電層１０及び第二導電層２０を備えるタッチパネル１に対し、砂目を発生させることなくモアレの発生を抑制することが可能になる。
【００４７】
（２）第一実施形態では、全ての検出領域において、実頂点ＣＰを仮想頂点ＶＰから変位させた位置が、同じである構成としたが、これに限定するものではない。
すなわち、少なくとも二つの検出領域において、実頂点ＣＰを仮想頂点ＶＰから変位させた位置が互いに異なる構成としてもよい。
この場合であっても、第一導電層１０及び第二導電層２０を備えるタッチパネル１に対し、砂目を発生させることなくモアレの発生を抑制することが可能になる。
【００４８】
（３）第一実施形態では、仮想頂点ＶＰから変位した位置に配置する実頂点ＣＰの数を、検出領域に存在する全ての実頂点ＣＰと同じ数に設定したが、これに限定するものではない。
すなわち、実頂点ＣＰの一部を、基準パターンにおける仮想四辺形ＶＳの頂点から変位させずに固定しておくことも可能である。したがって、例えば、仮想頂点ＶＰから変位した位置に配置する実頂点ＣＰの数を、検出領域に存在する全ての実頂点ＣＰのうち、５０％の数に設定してもよい。
この場合、例えば、実頂点ＣＰのうち、電極の境界（ノードの境界や、ダミー電極の境界等）を規定する頂点を、仮想四辺形ＶＳの頂点から変位させずに固定することで、電極の境界が崩れることを防止して、位置精度の低下を好適に抑制することが可能となる。また、アセンブリ側から受けた設計上の要請に対し、的確に対応することが可能になる。
【００４９】
（４）第一実施形態では、第一導電層１０が、タッチパネル１のセンシング層を形成し、第二導電層２０が、タッチパネル１のドライブ層を形成する構成としたが、これに限定するものではない。
すなわち、第一導電層１０が、タッチパネル１のドライブ層を形成し、第二導電層２０が、タッチパネル１のセンシング層を形成する構成としてもよい。
【００５０】
（５）第一実施形態では、第一導体線１４の線幅を、１［μｍ］以上７［μｍ］以下の範囲内に設定したが、これに限定するものではなく、第一導体線１４の線幅を、１［μｍ］以上１０［μｍ］以下の範囲内に設定してもよい。これは、第二導体線２４の線幅についても、同様とする。
【００５１】
（６）第一実施形態では、基材３０の一方の面３０ａに第一導体線１４を配置し、基材３０の他方の面３０ｂに第二導体線２４を配置した構成としたが、これに限定するものではない。
すなわち、二枚の基材を積層した構成とし、一方の基材の露出している面に第一導体線１４を有し、他方の基材の片側の面に第二導電層２０を有する構成としてもよい。
【実施例】
【００５２】
第一実施形態を参照しつつ、以下に記載する実施例により、実施例１のタッチパネルと、比較例１のタッチパネルについて説明する。
（実施例１）
実施例１のタッチパネルは、第一導電層及び第二導電層のそれぞれにおいて、導体線が交差する部分が、仮想四辺形の全ての頂点に対応する部分の１０％未満であるタッチパネルである。
（比較例１）
比較例１のタッチパネルは、第一導電層及び第二導電層のそれぞれにおいて、導体線が交差する部分が、仮想四辺形の全ての頂点に対応する部分の１０％以上であるタッチパネルである。
【００５３】
（モアレを抑制する効果と、砂目を抑制する効果の比較）
実施例１のタッチパネルと、比較例１のタッチパネルに対し、それぞれ、平面視で、仮想頂点ＶＰからの実頂点ＣＰの変位量を、ピッチＷＰの長さ（１００％）に対して、１％以上５０％未満の範囲内で変化させた。そして、実施例１のタッチパネルと、比較例１のタッチパネルに対し、それぞれ、モアレを抑制する効果と、砂目を抑制する効果を比較した。比較結果は、表１中に表す。
【００５４】
【表１】
2019174860.tif 000003
【００５５】
（比較結果）
表１中に表されるように、実施例１のタッチパネルでは、実頂点の変位量をピッチの２％以上とすると、モアレが抑制されることが確認された。これに加え、実頂点の変位量をピッチの２５％以上とすると、砂目が発生することが確認された。
一方、比較例１のタッチパネルでは、実頂点の変位量をピッチの３０％以上とすると、モアレが抑制されることが確認された。これに加え、実頂点の変位量をピッチの１５％以上とすると、砂目が発生することが確認された。
【００５６】
したがって、実施例１のタッチパネルでは、実頂点の変位量をピッチの２％以上２５％未満とすると、砂目を発生させること無く、モアレの発生を抑制する効果が得られることが確認された。
また、比較例１のタッチパネルでは、実頂点の変位量をピッチの１５％以上とすると、砂目が発生することが確認された。さらに、比較例１のタッチパネルでは、実頂点の変位量をピッチの３０％以上とすると、モアレを抑制する効果が得られることが確認された。
【００５７】
以上により、比較例１のタッチパネルでは、導体線が交差する部分の割合が実施例１のタッチパネルよりも多いため、交点太りが大きくなり、モアレを抑制する効果を得るためには、実頂点の変位量を増加させる必要がある。しかしながら、実頂点の変位量を増加させすぎると、砂目が発生する問題がある。
これに対し、実施例１のタッチパネルでは、導体線が交差する部分の割合が比較例１のタッチパネルよりも少なく、交点太りが小さくなるため、実頂点の変位量を少なくしても、モアレを抑制する効果を得ることが可能となる。このため、実頂点の変位量を制限しても、モアレを抑制する効果を得ることが可能となるとともに、砂目の発生を抑制することが可能となる。
【符号の説明】
【００５８】
１…タッチパネル、２…開口部、１０…第一導電層、１４…第一導体線、１４Ｍ…第一主電極線、１４Ｓ…第一副電極線、１４Ｄ…第一ダミー線、１６ａ…第一鋭角部、１６ｂ…第一鈍角部、１８…第一主電極線群、２０…第二導電層、２４…第二導体線、２４Ｍ…第二主電極線、２４Ｓ…第二副電極線、２４Ｄ…第二ダミー線、２６ａ…第二鋭角部、２６ｂ…第二鈍角部、２８…第二主電極線群、３０…基材、ＶＳ…仮想四辺形、ＣＰ…実頂点、ＶＰ…仮想頂点、ＤＱ…実頂点ＣＰを仮想頂点ＶＰから変位させる変位量、ＣＥ…加工領域、ＷＰ…ピッチ、ＳＴａ…第一導体線１４が有する直線部分のうちピッチＷＰの３倍に長さが設定された一つの直線部分、ＳＴｂ…第二導体線２４が有する直線部分のうちピッチＷＰの３倍に長さが設定された一つの直線部分、ＥＦ…太り部分、ＥＬ１…導体線、ＥＬ２…導体線
【図１】
2019174860.tif 000004
【図２】
2019174860.tif 000005
【図３】
2019174860.tif 000006
【図４】
2019174860.tif 000007
【図５】
2019174860.tif 000008
【図６】
2019174860.tif 000009
【図７】
2019174860.tif 000010
【図８】
2019174860.tif 000011
【図９】
2019174860.tif 000012
【図１０】
2019174860.tif 000013